(57)【要約】【課題】高ズーム比で、広角端から望遠端における全ズーム範囲にわたり特に倍率色収差を良好に補正し、全ズーム範囲において高い光学性能を有するズームレンズ及びそれを有する撮像装置を提供すること。【解決手段】物体側から順に、変倍中固定の正の屈折力の第1群と、変倍に伴い光軸方向に移動する負の屈折力の第２群と、変倍に伴い光軸方向に移動して変倍に伴う像面の変動を補正する第３群と、変倍中固定の開口絞りと、変倍中固定の正の屈折力の第４群から構成されるズームレンズにおいて、第２群の構成、および構成レンズの材料のアッベ数と部分分散比、及び屈折力等の条件を適切に設定したこと。【選択図】  図１
2014016510.tif 000002
【特許請求の範囲】
【請求項１】
物体側から順に、ズーミングに際して不動の正の屈折力の第１群、ズーミングに際して光軸方向に移動する負の屈折力の第２群、ズーミングに際して光軸方向に移動して変倍に伴う像面の変動を補正する第３群、ズーミングに際して不動の開口絞り、ズーミングに際して不動の正の屈折力の第４群で構成されるズームレンズにおいて、
前記第２群は、少なくとも２枚以上の正の屈折力のレンズと少なくとも３枚以上の負の屈折力のレンズから構成され、
かつ前記第２群は物体側から、互いに反対符号のレンズＬ２１、Ｌ２２の順で構成されており、
前記Ｌ２１の物体側の面と前記Ｌ２２の像側の面との光軸上の距離をＸ２とし、前記第２群の光軸上の全厚をＬ２とし、前記第２群内の最も像側の面における広角端と望遠端の軸上近軸光線の光軸からの高さをそれぞれｈＷ＿ｍ、ｈＴ＿ｍとし、前記第２群内の最も像側の面における広角端と望遠端の瞳近軸光線の光軸からの高さをそれぞれＨＷ＿ｍ、ＨＴ＿ｍとし、前記第２群の屈折力をφ２とし、前記Ｌ２１およびＬ２２のうち、正の屈折力のレンズの部分分散比と分散と屈折力をそれぞれθｐ、νｐ、φｐとし、負の屈折力のレンズの部分分散比と分散と屈折力をそれぞれθｎ、νｎとするとき、
−０．１５＜（ｈＴ＿ｍ×ＨＴ＿ｍ−ｈＷ＿ｍ×ＨＷ＿ｍ）／（ｈＴ＿ｍ×ｈＴ＿ｍ−ｈＷ＿ｍ×ｈＷ＿ｍ)＜０．１４
０.０６＜Ｘ２／Ｌ２＜ ０.３５
−１８．０×１０-3＜（θｐ−θｎ）／（νｐ−νｎ）＜−２．８×１０-3
２．０＜ νｎ − νｐ ＜ ３０．０
−０．５０＜φｐ／φ２＜−０．０２
なる条件を満足することを特徴とするズームレンズ。
【請求項２】
前記Ｌ２１は、正の屈折力であることを特徴とする請求項１に記載のズームレンズ。
【請求項３】
前記Ｌ２１は、負の屈折力であることを特徴とする請求項１に記載のズームレンズ。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比でしかも高い光学性能を有したズームレンズが要望されている。
【０００３】
高ズーム比のズームレンズとして、最も物体側に正の屈折力のレンズ群を配置し、全体として４つのレンズ群より成るポジティブリード型で、テレフォト型の４群ズームレンズが知られている。
【０００４】
この４群ズームレンズとして、物体側から像側へ順に合焦用の正の屈折力の第１レンズ群、変倍用の負の屈折力の第２レンズ群、変倍に伴う像面変動を補正するための第３レンズ群、結像用の正の屈折力の第４レンズ群より成る４群ズームレンズが知られている。
【０００５】
第３レンズ群が正の屈折力を持ったこのタイプの４群ズームレンズにおいて、高ズーム比化を図った４群ズームレンズが知られている（特許文献１〜３）。
【０００６】
特許文献１、２ではズーム比９６倍程度の高ズーム比のズームレンズを開示している。
【０００７】
特許文献３では、ズーム比５０倍程度の高ズーム比のズームレンズを開示している。
【０００８】
一方、第３レンズ群が負の屈折力を持ったこのタイプの４群ズームレンズにおいて、高ズーム比化を図った４群ズームレンズが知られている（特許文献３）。
【０００９】
特許文献３では、ズーム比２２倍程度の高ズーム比のズームレンズを開示している。
【先行技術文献】
【特許文献】
【００１０】
【特許文献１】特開２００４−２６４４５８号公報
【特許文献２】特開２００４−２６４４５９号公報
【特許文献３】特開２００８−４０３９５号公報
【発明の概要】
【発明が解決しようとする課題】
【００１１】
前述した構成のポジティブリード型の４群ズームレンズは高ズーム比が比較的容易である。
【００１２】
しかしながら、高ズーム比になる程、諸収差の変動が大きくなり、全ズーム領域で高い光学性能を得るのが難しくなってくる。
【００１３】
特に軸上色収差、倍率色収差ともにズーム変動が増大してくる。そのため高い結像性能を得るためには一次の色収差のみならず、二次スペクトルの補正を良好に行なうことが重要になってくる。
【００１４】
ポジティブリード型の４群ズームレンズにおいて、高ズーム比化を図りつつ、色収差を良好に補正し、高い光学性能を得るには変倍用の第２群の構成を適切に設定することが重要である。
【００１５】
本発明は、高ズーム比で、広角端から望遠端における全ズーム範囲にわたり、特に倍率色収差のズーム変動を良好に補正し、全ズーム範囲において高い光学性能を有するズームレンズ及びそれを有する撮像装置の提供を目的とする。
【課題を解決するための手段】
【００１６】
本発明のズームレンズは、物体側から順に、ズーミングに際して不動の正の屈折力の第１群、ズーミングに際して光軸方向に移動する負の屈折力の第２群、ズーミングに際して光軸方向に移動して変倍に伴う像面の変動を補正する第３群、ズーミングに際して不動の開口絞り、ズーミングに際して不動の正の屈折力の第４群で構成されるズームレンズにおいて、
前記第２群は、少なくとも２枚以上の正の屈折力のレンズと少なくとも３枚以上の負の屈折力のレンズから構成され、
かつ前記第２群は物体側から、互いに反対符号のレンズＬ２１、Ｌ２２の順で構成されており、
前記Ｌ２１の物体側の面と前記Ｌ２２の像側の面との光軸上の距離をＸ２とし、前記第２群の光軸上の全厚をＬ２とし、前記第２群内の最も像側の面における広角端と望遠端の軸上近軸光線の光軸からの高さをそれぞれｈＷ＿ｍ、ｈＴ＿ｍとし、前記第２群内の最も像側の面における広角端と望遠端の瞳近軸光線の光軸からの高さをそれぞれＨＷ＿ｍ、ＨＴ＿ｍとし、前記第２群の屈折力をφ２とし、前記Ｌ２１およびＬ２２のうち、正の屈折力のレンズの部分分散比と分散と屈折力をそれぞれθｐ、νｐ、φｐとし、負の屈折力のレンズの部分分散比と分散と屈折力をそれぞれθｎ、νｎとするとき、
−０．１５＜（ｈＴ＿ｍ×ＨＴ＿ｍ−ｈＷ＿ｍ×ＨＷ＿ｍ）／（ｈＴ＿ｍ×ｈＴ＿ｍ−ｈＷ＿ｍ×ｈＷ＿ｍ)＜０．１４                                                ・・・（１）
０.０６＜Ｘ２／Ｌ２＜ ０.３５                                       ・・・（２）
−１８．０×１０-3＜（θｐ−θｎ）／（νｐ−νｎ）＜−２．８×１０-3                                                                                ・・・（３）
２．０＜ νｎ − νｐ ＜ ３０．０                                   ・・・（４）
−０．５０＜φｐ／φ２＜−０．０２                                  ・・・（５）
なる条件を満足することを特徴としている。
【発明の効果】
【００１７】
本発明によれば、高ズーム比で、広角端から望遠端における全ズーム範囲にわたり、特に倍率色収差を良好に補正し、全ズーム範囲において高い光学性能を有するズームレンズ及びそれを有する撮像装置を得られる。
【図面の簡単な説明】
【００１８】
【図１】本発明の実施例１のズームレンズの広角端でフォーカス無限遠時の断面図
【図２】（Ａ）、（Ｂ）、（Ｃ）数値実施例１の広角端、焦点距離２９２．０２ｍｍ、望遠端における縦収差図
【図３】本発明の実施例２のズームレンズの広角端でフォーカス無限遠時の断面図
【図４】（Ａ）、（Ｂ）、（Ｃ）数値実施例２の広角端、焦点距離３１．７８ｍｍ、望遠端における縦収差図
【図５】本発明の実施例３のズームレンズの広角端でフォーカス無限遠時の断面図
【図６】（Ａ）、（Ｂ）、（Ｃ）数値実施例３の広角端、焦点距離３１．７８ｍｍ、望遠端における縦収差図
【図７】本発明の実施例４のズームレンズの広角端でフォーカス無限遠時の断面図
【図８】（Ａ）、（Ｂ）、（Ｃ）数値実施例４の広角端、焦点距離３３．７３ｍｍ、望遠端における縦収差図
【図９】本発明の実施例５のズームレンズの広角端でフォーカス無限遠時の断面図
【図１０】（Ａ）、（Ｂ）、（Ｃ）数値実施例５の広角端、焦点距離３３．７３ｍｍ、望遠端における縦収差図
【図１１】本発明の実施例６のズームレンズの広角端でフォーカス無限遠時の断面図
【図１２】（Ａ）、（Ｂ）、（Ｃ）数値実施例６の広角端、焦点距離３１．６７ｍｍ、望遠端における縦収差図
【図１３】本発明の実施例７のズームレンズの広角端でフォーカス無限遠時の断面図
【図１４】（Ａ）、（Ｂ）、（Ｃ）数値実施例７の広角端、焦点距離３１．６７ｍｍ、望遠端における縦収差図
【図１５】本発明の撮像装置の要部概略図
【図１６】正の屈折力のレンズ群による倍率色収差の２色の色消しと二次スペクトル残存に関する模式図
【図１７】負の屈折力のレンズ群による倍率色収差の２色の色消しと二次スペクトル残存に関する模式図
【図１８】アッベ数νｄと部分分散比θｇFの分布の模式図
【図１９】本発明の第３群の屈折力が正である４群ズームレンズの広角端の近軸追跡の模式図
【図２０】本発明の第３群の屈折力が正である４群ズームレンズの望遠端の近軸追跡の模式図
【図２１】本発明の第３群の屈折力が正である４群ズームレンズにおける物体側から順に正レンズ及び負レンズ、像側から順に正レンズ及び負レンズで構成される第２群の広角端の近軸追跡の模式図
【図２２】本発明の第３群の屈折力が正である４群ズームレンズにおける物体側から順に正レンズ及び負レンズ、像側から順に正レンズ及び負レンズで構成される第２群の望遠端の近軸追跡の模式図
【発明を実施するための最良の形態】
【００１９】
以下、本発明のズームレンズ及びそれを有する撮像装置の実施例について説明する。
【００２０】
図１は本発明の実施例１（数値実施例１）であるズームレンズの広角端で無限遠物体に合焦しているときのレンズ断面図である。図２（Ａ）、（Ｂ）、（Ｃ）は、数値実施例１のそれぞれ広角端、焦点距離２９２．０２ｍｍ、望遠端における縦収差図である。
【００２１】
但し、焦点距離の値は、後述する数値実施例をｍｍ単位で表したときの値である。これは以下の各実施例において、全て同じである。
【００２２】
図３は本発明の実施例２（数値実施例２）であるズームレンズの広角端で無限遠物体に合焦しているときのレンズ断面図である。図４（Ａ）、（Ｂ）、（Ｃ）は、数値実施例２のそれぞれ広角端、焦点距離３１．７８ｍｍ、望遠端における縦収差図である。
【００２３】
図５は本発明の実施例３（数値実施例３）であるズームレンズの広角端で無限遠物体に合焦しているときのレンズ断面図である。図６（Ａ）、（Ｂ）、（Ｃ）は、数値実施例３のそれぞれ広角端、焦点距離３１．７８ｍｍ、望遠端における縦収差図である。
【００２４】
図７は本発明の実施例４（数値実施例４）であるズームレンズの広角端で無限遠物体に合焦しているときのレンズ断面図である。図８（Ａ）、（Ｂ）、（Ｃ）は、数値実施例４のそれぞれ広角端、焦点距離３３．７８ｍｍ、望遠端における縦収差図である。
【００２５】
図９は本発明の実施例５（数値実施例５）であるズームレンズの広角端で無限遠物体に合焦しているときのレンズ断面図である。図１０（Ａ）、（Ｂ）、（Ｃ）は、数値実施例５の広角端、焦点距離３３．７８ｍｍ、望遠端における縦収差図である。
【００２６】
図１１は本発明の実施例６（数値実施例６）であるズームレンズの広角端で無限遠物体に合焦しているときのレンズ断面図である。図１２（Ａ）、（Ｂ）、（Ｃ）は、数値実施例6のそれぞれ広角端、焦点距離３１．６７ｍｍ、望遠端における縦収差図である。
【００２７】
図１３は本発明の実施例７（数値実施例７）であるズームレンズの広角端で無限遠物体に合焦しているときのレンズ断面図である。図１４（Ａ）、（Ｂ）、（Ｃ）は、数値実施例7のそれぞれ広角端、焦点距離３１．６７ｍｍ、望遠端における縦収差図である。
【００２８】
図１５は本発明の撮像装置の要部概略図である。
【００２９】
図１６は正の屈折力のレンズ群による倍率色収差の２色の色消しと二次スペクトル残存に関する模式図である。
【００３０】
図１７は負の屈折力のレンズ群による倍率色収差の２色の色消しと二次スペクトル残存に関する模式図である。
【００３１】
図１８はアッベ数νｄと部分分散比θｇFの分布の模式図である。
【００３２】
図１９は本発明において第３群の屈折力が正である４群ズームレンズの広角端の近軸追跡の模式図を示す。
【００３３】
図２０は本発明において第３群の屈折力が正である４群ズームレンズの望遠端の近軸追跡の模式図を示す。
【００３４】
図２１は本発明の第３群の屈折力が正である４群ズームレンズにおける物体側から順に正レンズ及び負レンズ、像側から順に正レンズ及び負レンズで構成される第２群の広角端の近軸追跡の模式図を示す。
【００３５】
図２２は本発明の第３群の屈折力が正である４群ズームレンズにおける物体側から順に正レンズ及び負レンズ、像側から順に正レンズ及び負レンズで構成される第２群の望遠端の近軸追跡の模式図を示す。
【００３６】
収差図において、球面収差はe線とg線とＣ線とＦ線によって表されている。非点収差はｅ線のメリディオナル像面（ΔＭ）とｅ線のサジタル像面（ΔＳ）によって表されている。倍率色収差はｇ線とＣ線とＦ線によって表されている。ＦｎｏはＦナンバー、ωは半画角である。
【００３７】
すべての収差図において、球面収差は０．４ｍｍ、非点収差は０．４ｍｍ、歪曲は５％、倍率色収差は０．０５ｍｍのスケールで描かれている。
【００３８】
尚、広角端と望遠端は変倍用の第２群Ｕ２が機構上光軸上を移動可能な範囲の両端に位置したときのズーム位置をいう。
【００３９】
次に各数値実施例の特徴について説明する。
【００４０】
本発明のズームレンズは、物体側から像側へ順に、変倍中固定の正の屈折力の第１群（フォーカスレンズ群）Ｕ１を有している。更に、広角端（短焦点距離端）から望遠端（長焦点距離端）へのズーミングに際して、像側へ移動する変倍用の負の屈折力の第２群（バリエーター）Ｕ２を有している。更に、第２群Ｕ２の移動に連動して光軸上を非直線的に移動し、変倍に伴う像面変動を補正する第３群（コンペンセーター）Ｕ３を有している。更に、ズーミングに際して不動の開口絞りＳＰを有している。更に、ズーミングに際して不動の正の屈折力の第４群（リレーレンズ群）Ｕ４を有している。
【００４１】
第２群Ｕ２と第３群Ｕ３とで変倍系を構成している。
【００４２】
第２群Ｕ２は少なくとも２枚以上の正の屈折力を有するレンズと少なくとも３枚以上の負の屈折力を有するレンズから構成されている。
【００４３】
第２群Ｕ２は物体側から、互いに反対符号のレンズＬ２１、Ｌ２２の順で構成されている。
【００４４】
Ｌ２１の物体側の面とＬ２２の像側の面との光軸上の距離をＸ２とし、第２群の光軸上の全厚をＬ２とし、第２群Ｕ２内の最も像側の面における広角端と望遠端の軸上近軸光線の光軸からの高さをそれぞれｈＷ＿ｍ、ｈＴ＿ｍとし、第２群Ｕ２内の最も像側の面における広角端と望遠端の瞳近軸光線の光軸からの高さをそれぞれＨＷ＿ｍ、ＨＴ＿ｍとし、第２群の屈折力をφ２とし、Ｌ２１およびＬ２２のうち、正の屈折力のレンズの部分分散比と分散と屈折力をそれぞれθｐ、νｐ、φｐとし、負の屈折力のレンズの部分分散比と分散と屈折力をそれぞれθｎ、νｎとするとき、
−０．１５＜（ｈＴ＿ｍ×ＨＴ＿ｍ−ｈＷ＿ｍ×ＨＷ＿ｍ）／（ｈＴ＿ｍ×ｈＴ＿ｍ−ｈＷ＿ｍ×ｈＷ＿ｍ)＜０．１４                                                ・・・（１）
０.０６＜Ｘ２／Ｌ２＜ ０.３５                                       ・・・（２）
−１８．０×１０-3＜（θｐ−θｎ）／（νｐ−νｎ）＜−２．８×１０-3・・・（３）
２．０＜ νｎ − νｐ ＜ ３０．０                                   ・・・（４）
−０．５０＜φｐ／φ２＜−０．０２                                  ・・・（５）
なる条件を満足している。
【００４５】
ここで、本実施例で用いている光学素子（レンズ）の材料の部分分散比とアッべ数は次の通りである。
【００４６】
フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。
アッべ数νｄとg線とＦ線に関する部分分散比θｇＦは以下の通りに与えられる。
【００４７】
νｄ＝（Ｎｄ−１）／（ＮＦ−ＮＣ）                            ・・・（６）
θｇＦ＝（Ｎｇ−ＮＦ）／（ＮＦ−ＮＣ）                        ・・・（７）
各実施例では、第２群Ｕ２のレンズ構成を前述の如く特定し、かつ条件式（１）〜（５）を満足することにより、倍率色収差の二次スペクトルのズーム変動補正を効果的に行っている。
【００４８】
ここで、軸上近軸光線及び瞳近軸光線は、次のように定義される光線である。軸上近軸光線は、光学系全系の広角端の焦点距離を１に規格化し、光学系に光軸と平行に、光軸からの高さを１として入射させた近軸光線である。瞳近軸光線は、光学系全系の広角端の焦点距離を１に規格化し、撮像面の最大像高に入射する光線の内、光学系の入射瞳と光軸との交点を通過する近軸光線である。物体は光学系の左側にあるものとし、物体側から光学系に入射する光線は左から右へ進むものとする。
【００４９】
図１８に示すように、現存する光学材料はνｄに対し部分分散比θｇＦが狭い範囲に分布しており、νｄが小さいほどθｇＦが大きい傾向を持っている。
【００５０】
所定の屈折力Φで、正の屈折力Φｐ、負の屈折力Φｎ、アッベ数νｐ、νｎ、軸上近軸光線の光軸からの高さｈ、瞳近軸光線の光軸からの高さＨ、の２枚のレンズＧｐ、Ｇｎで構成される薄肉密着系の軸上色収差係数Ｌ、倍率色収差係数Ｔは、
Ｌ＝ｈ×ｈ×（Φｐ／νｐ＋Φｎ／νｎ）                                ・・・（８）
Ｔ＝ｈ×Ｈ×（Φｐ／νｐ＋Φｎ／νｎ）                                ・・・（９）
であらわされる。ここで、
Φ＝Φｐ＋Φｎ                                                      ・・・（１０）
とする。式（８）及び式（９）の各レンズの屈折力は、式（１０）がΦ＝１となるように規格化されている。３枚以上で構成される場合も同様に考えることができる。式（８）及び式（９）において、Ｌ＝０及びＴ＝０とするとＣ線−Ｆ線の軸上及び像面上での結像位置が合致する。特に高倍率のズームレンズでは、変倍に伴う色収差変動を抑制するために、各レンズ群の色収差、すなわちＬ及びＴが概ねゼロ近傍となるように補正される。
【００５１】
この時、物体距離を無限遠として光束を入射した場合のＦ線に対するｇ線の軸上色収差のずれ量及び倍率色収差のずれ量を、それぞれ軸上色収差の二次スペクトル量Δｓ、倍率色収差の二次スペクトル量Δｙとして定義すると、
Δｓ＝−ｈ×ｈ×（θｐ−θｎ）／（νｐ−νｎ）×ｆ                  ・・・（１１）
Δｙ＝−ｈ×Ｈ×（θｐ−θｎ）／（νｐ−νｎ）×Ｙ                  ・・・（１２）
であらわされる。ここで、ｆはレンズ全系の焦点距離、Ｙは像高とする。
【００５２】
図１９、図２０に本実施例において第３群Ｕ３の屈折力が正である４群ズームレンズの広角端、望遠端の近軸追跡の模式図を示す。図１９、図２０では、各レンズ群を薄肉レンズで示している。図１９及び図２０に示すように、所定の屈折力Φで、本実施例の４群ズームレンズのように４つの薄肉密着レンズ群から構成され、各群毎にＣ線−Ｆ線の軸上及び倍率色収差が補正された薄肉系の軸上色収差、倍率色収差の二次スペクトル量ΔＳ、ΔＹは、
ΔＳ＝[−ｈ１×ｈ１×（θｐ１−θｎ１）／（νｐ１−νｎ１）×Φ１
−ｈ２×ｈ２×（θｐ２−θｎ２）／（νｐ２−νｎ２）×Φ２
−ｈ３×ｈ３×（θｐ３−θｎ３）／（νｐ３−νｎ３）×Φ３
−ｈ４×ｈ４×（θｐ４−θｎ４）／（νｐ４−νｎ４）×Φ４
]×ｆ                                                         ・・・（１３）
ΔＹ＝[−ｈ１×Ｈ１×（θｐ１−θｎ１）／（νｐ１−νｎ１）×Φ１              
−ｈ２×Ｈ２×（θｐ２−θｎ２）／（νｐ２−νｎ２）×Φ２
−ｈ３×Ｈ３×（θｐ３−θｎ３）／（νｐ３−νｎ３）×Φ３
−ｈ４×Ｈ４×（θｐ４−θｎ４）／（νｐ４−νｎ４）×Φ４
]×Ｙ                                                        ・・・（１４）
とあらわされる。ここで、
Φ＝Φ１＋Φ２＋Φ３＋Φ４
−ｅ１´×Φ１×（Φ２＋Φ３＋Φ４）
−ｅ２´×（Φ３＋Φ４）×（Φ１＋Φ２−ｅ１´×Φ１×Φ２）
−ｅ３´×Φ４×[Φ１＋Φ２＋Φ３−ｅ１´×Φ１×（Φ２＋Φ３）
−ｅ２´×Φ３×（Φ１＋Φ２）＋ｅ１´×ｅ２´×Φ１×Φ２×Φ３]
・・・（１５）
とする。ｆはレンズ全系の焦点距離、Ｙは像高とする。第１群、第２群、第３群、第４群の軸上近軸光線の光軸からの高さをｈ１、ｈ２、ｈ３、ｈ４、瞳近軸光線の光軸からの高さをＨ１、Ｈ２、Ｈ３、Ｈ４とする。第１群、第２群、第３群、第４群の正の屈折力のレンズの平均部分分散比をθｐ１、θｐ２、θｐ３、θｐ４、負の屈折力のレンズの平均部分分散比をθｎ１、θｎ２、θｎ３、θｎ４とする。第１群、第２群、第３群、第４群の正の屈折力のレンズの平均分散をνｐ１、νｐ２、νｐ３、νｐ４、負の屈折力のレンズの平均分散をνｎ１、νｎ２、νｎ３、νｎ４とする。第１群、第２群、第３群、第４群の屈折力をΦ１、Φ２、Φ３、Φ４とする。第１群と第２群、第２群と第３群、第３群と第４群の光軸上の間隔をｅ１´、ｅ２´、ｅ３´とする。式（１３）及び式（１４）の各群の屈折力は式（１５）がΦ＝１となるように規格化されている。５群以上で構成される場合も同様に考えることができる。
【００５３】
図１８において、正の屈折力のレンズ群Ｌｐでの色消しでは正レンズＧｐとしてアッベ数νｐの大きな材料、負レンズＧｎとしてνｎの小さな材料を用いる。従って式（１４）より、正レンズＧｐはθｐが小さく、負レンズＧｎはθｎが大きくなって、Ｆ線とＣ線で色収差を補正すると、図１６に示すように正の屈折力のレンズ群Ｌｐが絞りよりも物体側に位置する場合、軸外ではｇ線の結像点が像高の低い方にずれる。二次スペクトル量ΔＳ及びΔＹは、図２０に示すように望遠側において軸上近軸光線と瞳近軸光線の光軸からの高さが高い位置を通る本実施例の第１群Ｕ１で顕著に発生する。これは本実施例において第３群Ｕ３の屈折力が負である４群ズームレンズにおいても同じである。
【００５４】
図１８において、負の屈折力のレンズ群Ｌｎでの色消しでは正レンズＧ１としてアッベ数ν１の小さな材料、負レンズＧ２としてν２の大きな材料を用いる。従って式（１４）より、正レンズＧ１はθ１が大きく、負レンズＧ２はθ２が小さくなって、Ｆ線とＣ線で色収差を補正すると、図１７に示すように負の屈折力のレンズ群Ｌｎが絞りよりも物体側に位置する場合、軸外ではｇ線の結像点が像高の高い方にずれる。図２０に示すように、この現象は本実施例の４群ズームレンズでは負の屈折力の第２群Ｕ２で発生する。これは本実施例において第３群Ｕ３の屈折力が負である４群ズームレンズにおいても同じである。
【００５５】
したがって、式（１４）における第１項は負、第２項は正となり、第２群Ｕ２で発生する倍率色収差の二次スペクトル量の絶対値を増大させることにより、第１群Ｕ１で発生した倍率色収差の二次スペクトル量を効果的に補正できる。
【００５６】
更に、各群内においてレンズ位置による望遠端の瞳近軸光線の光軸からの高さの差を使って、望遠端の倍率色収差の二次スペクトル量を効果的に補正することができる。本実施例では、第２群Ｕ２内において望遠端の瞳近軸光線の光軸からの高さがより高い物体側の正レンズ及び負レンズのアッベ数、部分分散比及び屈折力を適切に選択することで望遠端の倍率色収差の二次スペクトルを効果的に補正している。これにより、倍率色収差の二次スペクトルの広角端と望遠端の変動を効果的に補正している。また、第２群Ｕ２内で望遠端の瞳近軸光線の光軸からの高さがより低い像側の正レンズ及び負レンズのアッベ数、部分分散比及び屈折力を適切に選択し、物体側の正レンズ及び負レンズで過剰補正になる望遠端の軸上色収差の二次スペクトルを効果的に戻している。
【００５７】
以下、本発明の４群ズームレンズの第２群Ｕ２内における倍率色収差の二次スペクトルの広角端と望遠端の変動補正について詳細を述べる。
【００５８】
ここで、３枚以上のレンズで構成されているレンズ全系の軸上色収差係数Ｌ、倍率色収差係数Ｔを、以下の式（１６）、（１７）で与える。
【００５９】
Ｌ＝Σ（ｈ＿ｊ×ｈ＿ｊ×φ＿ｊ／ν＿ｊ）                           ・・・（１６）
Ｔ＝Σ（ｈ＿ｊ×H＿ｊ×φ＿ｊ／ν＿ｊ）                            ・・・（１７）
但し、ｈ＿ｊ、H＿ｊをそれぞれ物体側からｊ番目のレンズの近軸追跡における軸上近軸光線の光軸からの高さ、瞳近軸光線の光軸からの高さとする。φ＿ｊ、ν＿ｊをそれぞれ物体側からｊ番目のレンズの屈折力、アッベ数とする。
【００６０】
さらに、レンズ全系の軸上色収差量Δｆ、倍率色収差量ΔＹは、以下の式（１８）及び（１９）で与えられる。
【００６１】
Δｆ＝−Ｌ×ｆ                                               ・・・（１８）
ΔＹ＝−Ｔ×Ｙ                                               ・・・（１９）
但し、レンズ全系の焦点距離をｆ、像高をYとする。
【００６２】
今、式（１６）及び（１７）で用いているアッベ数ν＿ｊの分母（部分分散）をｎｇ−ｎＦとすると、式（１６）及び（１７）はそれぞれＦ線に対するｇ線の軸上色収差係数、倍率色収差係数となる。式（１８）及び（１９）はそれぞれ軸上色収差、倍率色収差の二次スペクトル量を表す。式（１６）及び（１８）より、軸上色収差の二次スペクトルの各レンズの分担値は、軸上近軸光線の高さの二乗、レンズの屈折力及びｇ線とF線の屈折率差に比例して大きくなる。一方、式（１７）及び（１９）より、倍率色収差の二次スペクトルの各レンズの分担値は、軸上近軸光線の高さ、瞳近軸光線の高さ、レンズの屈折力及びｇ線とF線の屈折率差に比例して大きくなる。
【００６３】
ここで、式（１６）及び（１７）より物体側からｊ番目のレンズにおける二次スペクトルの軸上色収差係数に対する二次スペクトルの倍率色収差係の比ＴＬ＿ｊは以下の式（１２０）で求まる。
【００６４】
ＴＬ＿ｊ＝H＿ｊ／h＿ｊ                                           ・・・（２０）
絞りより物体側に位置するレンズにおいて、ＴＬ＿ｊは常に負の値をとる。式（２０）より、瞳近軸光線の光軸からの高さがより高い位置にあるレンズほど二次スペクトルの倍率色収差係数の分担値がより大きいため、倍率色収差の二次スペクトル補正により有利である。一方、瞳近軸光線の光軸からの高さがより低い位置にあるレンズほど二次スペクトルの軸上色収差係数の分担値がより大きいため、軸上色収差の二次スペクトル補正に有利である。本実施例の４群ズームレンズの第２群Ｕ２内においては、より物体側に位置するレンズほど瞳近軸光線の光軸からの高さが高い傾向にあるため倍率色収差の二次スペクトル補正に有利である。
【００６５】
更に、式（１６）及び（１７）より物体側からｊ番目のレンズにおける広角端と望遠端の二次スペクトルの軸上色収差係数の差に対する広角端と望遠端の二次スペクトルの倍率色収差係数の差の比ＴｚＬｚ＿ｊは以下の式（２１）で求まる。
【００６６】
ＴｚＬｚ＿ｊ＝（ｈＴ＿ｊ×ＨＴ＿ｊ−ｈＷ＿ｊ×ＨＷ＿ｊ）／（ｈＴ＿ｊ×ｈＴ＿ｊ−ｈＷ＿ｊ×ｈＷ＿ｊ)                                                     ・・・（２１）
但し、ｈＷ＿j、HＷ＿ｊをそれぞれ物体側からj番目のレンズの近軸追跡における広角端の軸上近軸光線の光軸からの高さ、広角端の瞳近軸光線の光軸からの高さとする。ｈＴ＿j、HＴ＿ｊをそれぞれ物体側からj番目のレンズの近軸追跡における望遠端の軸上近軸光線の光軸からの高さ、望遠端の瞳近軸光線の光軸からの高さとする。
【００６７】
図２１、図２２に本実施例の第３群の屈折力が正である４群ズームレンズにおける物体側から順にレンズＬ２１及びレンズＬ２２、像側から順にレンズＬ２４及びレンズＬ２３で構成される第２群Ｕ２の広角端、望遠端の近軸追跡の模式図を示す。図２１、図２２に示す第２群Ｕ２は、Ｌ２１及びレンズＬ２２、Ｌ２３及びレンズＬ２４のそれぞれで色収差を補正するためＬ２１及びＬ２４を正レンズ、Ｌ２２及びＬ２３を負レンズで構成されている。また、Ｌ２１及びＬ２２、Ｌ２３及びＬ２４はそれぞれ薄肉密着レンズとすると、それぞれ軸上近軸光線及び瞳近軸光線の光軸からの高さは等しくなる。
【００６８】
特に高ズーム比のズームレンズの第２群Ｕ２においては、図２１及び図２２に示すように望遠端での軸上近軸光線及び瞳近軸光線の光軸からの高さｈＴ＿ｊ、ＨＴ＿ｊが高くなるため式（２１）の値を決める上で支配的となる。式（２１）の分母は正の値をとるため、望遠端での瞳近軸光線の光軸からの高さがより高くなる第２群Ｕ２の物体側に位置するレンズほど式（２１）の値は負に大きな値をとる傾向にある。
【００６９】
従って、Ｌ２１及びＬ２２で色収差の二次スペクトル補正により有利な硝材のアッベ数と部分分散比、及び屈折力を選択して望遠端の倍率色収差の二次スペクトルを補正することで、倍率色収差の二次スペクトルの広角端と望遠端の変動を効果的に補正できる。
【００７０】
一方、Ｌ２３及びＬ２４は図２２に示すように望遠端での瞳近軸光線の光軸からの高さがＬ２１及びＬ２２よりΔＨＴ（＝｜ＨＴ＿ｊ−ＨＴ＿ｊ＋３｜）だけ低くなる。従って、Ｌ２３及びＬ２４の硝材のアッベ数と部分分散比、及び屈折力を適切に選択することで、望遠端の倍率色収差の二次スペクトル悪化を最小限に留め、且つＬ２１及びＬ２２で過剰補正になる望遠端の軸上色収差の二次スペクトルを効果的に戻すことができる。これは本実施例において第３群Ｕ３の屈折力が負である４群ズームレンズにおいても同じである。
【００７１】
以上を考慮して、本実施例の４群ズームレンズの第２群Ｕ２は、少なくとも２枚以上の正の屈折力のレンズと少なくとも３枚以上の負の屈折力のレンズから構成されている。更に、本実施例では第２群Ｕ２は物体側から互いに反対符号のレンズＬ２１、Ｌ２２、像側から互いに反対符号のレンズＬ２４、Ｌ２３、及び第２群Ｕ２に適切な負の屈折力を持たせるため更に少なくとも１枚以上の負の屈折力のレンズで構成されている。
【００７２】
式（２１）と同様にして、物体側からi番目の面における広角端と望遠端の二次スペクトルの軸上色収差係数の分担値の差に対する広角端と望遠端の二次スペクトルの倍率色収差係数の分担値の差の比ＴｚＬｚ＿iは、以下の式（２２）で求まる。
【００７３】
ＴｚＬｚ＿i＝（ｈＴ＿i×ＨＴ＿i−ｈＷ＿i×ＨＷ＿i）／（ｈＴ＿i×ｈＴ＿i−ｈＷ＿i×ｈＷ＿i)
・・・（２２）
但し、ｈＷ＿i、HＷ＿iをそれぞれ物体側からi番目のレンズの近軸追跡における広角端の軸上近軸光線の光軸からの高さ、広角端の瞳近軸光線の光軸からの高さとする。ｈＴ＿i、HＴ＿iをそれぞれ物体側からi番目のレンズの近軸追跡における望遠端の軸上近軸光線の光軸からの高さ、望遠端の瞳近軸光線の光軸からの高さとする。
【００７４】
ここで、第２群Ｕ２の各面の第２群Ｕ２内における位置γｋを式（２３）のように定義する。
【００７５】
γｋ＝Ｄ＿ｋ／Ｌ２                                          ・・・（２３）
但し、Ｄ＿ｋを第２群Ｕ２の最も物体側の面と第２群Ｕ２内の物体側からｋ番目（ｋ＝１〜ｍ）の面との光軸上の距離とする。
【００７６】
本実施例の第２群Ｕ２内においては、γｋの絶対値が小さくなる、より物体側に位置するレンズほど倍率色収差の二次スペクトルの広角端と望遠端の変動をより効果的に補正することができる。
【００７７】
条件式（１）〜（５）は、以上を考慮して倍率色収差の二次スペクトルの広角端と望遠端の変動をより効果的に補正できる第２群Ｕ２内のレンズＬ２１、Ｌ２２の位置と材料のアッべ数と部分分散比、及び屈折力等の条件を適切に設定したものである。
【００７８】
条件式（１）は第２群Ｕ２の広角端と望遠端の軸上近軸光線及び瞳近軸光線の光軸からの高さの関係を規定している。条件式（１）は式（２２）と同様で、本実施例の第２群Ｕ２の最も像側の面における、広角端と望遠端の二次スペクトルの軸上色収差係数の分担値の差に対する広角端と望遠端の二次スペクトルの倍率色収差係数の分担値の差の比を表わす。条件式（１）は高ズーム比のズームレンズほどより負に大きな値をとる傾向にある。
条件式（１）の上限を超えると、第２群Ｕ２の最も物体側の面と最も像側の面の望遠端での瞳近軸光線の光軸からの高さの差が大きくなり、第２群のユニット全厚が長くなり過ぎるため小型化に不利である。
【００７９】
条件式（１）の下限を超えると、ズーム比が大き過ぎるため色収差変動や緒収差を良好に補正することが困難となる。
【００８０】
更に好ましくは条件式（１）を次の如く設定するのが良い。
【００８１】
−０．１０＜（ｈＴ＿ｍ×ＨＴ＿ｍ−ｈＷ＿ｍ×ＨＷ＿ｍ）／（ｈＴ＿ｍ×ｈＴ＿ｍ−ｈＷ＿ｍ×ｈＷ＿ｍ)＜０．１０                                               ・・・（１a）
条件式（２）は倍率色収差のズーム変動補正に有利となる第２群Ｕ２内のレンズＬ２１、Ｌ２２の位置を規定している。
【００８２】
条件式（２）の上限を超えると、望遠端の瞳近軸光線の光軸からの高さが低くなり、望遠端の倍率色収差の二次スペクトルを十分に補正できないため倍率色収差のズーム変動補正に不利になる。
【００８３】
条件式（２）の下限を超えると、第２群Ｕ２内のレンズＬ２１、Ｌ２２が適切な屈折力を持たないため、倍率色収差の二次スペクトルのズーム変動補正に不利になる。
【００８４】
更に好ましくは条件式（２）を次の如く設定するのが良い。
【００８５】
０．０８＜Ｘ２／Ｌ２＜０．３０                              ・・・（２a）
条件式（３）は、第２群Ｕ２内のレンズＬ２１、Ｌ２２の材料のアッべ数と部分分散比を規定したものである。
【００８６】
条件式（３）の上限を超えると、第２群Ｕ２内のレンズＬ２１、Ｌ２２による二次スペクトル補正効果が不足してしまい、倍率色収差の二次スペクトルのズーム変動を良好に補正することが困難となるので良くない。
【００８７】
条件式（３）の下限を超えると、第２群Ｕ２内のレンズＬ２１、Ｌ２２による二次スペクトルの補正効果が過剰になり、特に望遠端において倍率色収差と軸上色収差のバランスを取るのが困難となるので良くない。
【００８８】
更に好ましくは条件式（３）を次の如く設定するのが良い。
【００８９】
−１４．０×１０-3（θｐ−θｎ）／（νｐ−νｎ）＜−２．９×１０-3 ・・・（３a）
条件式（４）は、第２群Ｕ２内のレンズＬ２１、Ｌ２２の材料のアッべ数の関係を規定したものである。
【００９０】
条件式（４）の上限を超えると、第２群Ｕ２内のレンズＬ２１、Ｌ２２による二次スペクトル補正効果が不足してしまい、倍率色収差の二次スペクトルのズーム変動を良好に補正することが困難となるので良くない。
【００９１】
条件式（４）の下限を超えると、第２群Ｕ２内のレンズＬ２１、Ｌ２２による二次スペクトルの補正効果が過剰になり、特に望遠端において倍率色収差と軸上色収差のバランスを取るのが困難となるので良くない。
【００９２】
更に好ましくは条件式（４）を次の如く設定するのが良い。
【００９３】
２．５＜νｎ − νｐ ＜ ２８．０                                   ・・・（４a）
条件式（５）は、第２群Ｕ２内のレンズＬ２１、Ｌ２２の屈折力を規定したものである。
【００９４】
条件式（５）の上限を超えると、第２群Ｕ２内のレンズＬ２１、Ｌ２２による二次スペクトルの補正効果が過剰になり、特に望遠端において倍率色収差と軸上色収差のバランスを取るのが困難となるので良くない。
【００９５】
条件式（５）の下限を超えると、第２群Ｕ２内のレンズＬ２１、Ｌ２２による二次スペクトル補正効果が不足してしまい、倍率色収差の二次スペクトルのズーム変動を良好に補正することが困難となるので良くない。
【００９６】
更に好ましくは条件式（５）を次の如く設定するのが良い。
【００９７】
−０．４０＜φｐ／φ２ ＜−０．０５                          ・・・（５a）
各実施例では、以上のように構成することによって、高倍率（高ズーム比）を確保しながら特に望遠端における倍率色収差の二次スペクトルを効果的に補正することで、倍率色収差の二次スペクトルの広角端と望遠端の変動を良好に補正した高い光学性能を得ている。
【００９８】
次に各実施例のズームレンズのレンズ構成の特徴のうち、前述した以外の特徴について説明する。
【実施例１】
【００９９】
実施例１におけるレンズ構成について説明する。
【０１００】
図１は本発明の実施例１（数値実施例１）のズームレンズの広角端で無限遠物体に合焦しているときのレンズ断面図である。
【０１０１】
Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する正の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１０２】
数値実施例１の第２群Ｕ２は２枚の正レンズと、３枚の負レンズから成っており、物体側より順に正レンズと負レンズとを接合した接合レンズ、負レンズ、負レンズと正レンズとを接合した接合レンズで構成されている。従って、数値実施例１の第２群Ｕ２は物体側から順に正レンズと負レンズ、像側から順に正レンズと負レンズで構成されている。
【０１０３】
式（１６）及び式（１７）より、部分分散（ｎｇ−ｎＦ）の大きな材料を用いたレンズ程、より効果的に色収差の二次スペクトルを補正することができる。実施例１では望遠端での瞳近軸光線の光軸からの高さが第２群Ｕ２内でより高くなる最も物体側の位置に部分分散比θｇＦが大きな材料を用いた正レンズを配置することで効果的に倍率色収差の二次スペクトルのズーム変動を補正している。更に、実施例１では望遠端での瞳近軸光線の光軸からの高さが第２群Ｕ２内でより低くなる最も像側の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１０４】
表１に実施例１の各条件式の対応値を示す。数値実施例１は条件式（１）〜（５）の何れの条件式も満足し、条件式（１）及び条件式（５）の下限に近いことを特徴とする。
【０１０５】
表２に実施例１における第２群の各面のｈＷ＿i、ＨＷ＿i、ｈＴ＿i、ＨＴ＿iと式（２２）及び式（２３）の対応値を示す。表２より、実施例１の第２群Ｕ２内のより物体側に位置する面ほど式（２２）の値が負に大きな値をとり、倍率色収差の二次スペクトルの望遠端と広角端の変動に対する分担値が大きいことがわかる。
【０１０６】
実施例１は１００倍の高倍率（ズーム比）を達成し、且つズーム全域において色収差及び諸収差を良好に補正し、全ズーム範囲において高い光学性能を得ている。
【実施例２】
【０１０７】
実施例２におけるレンズ構成について説明する。
【０１０８】
図３は本発明の実施例２（数値実施例２）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する正の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１０９】
数値実施例２の第２群Ｕ２は２枚の正のレンズと、４枚の負レンズから成っており、物体側より順に正レンズと負レンズとを接合した接合レンズ、２枚の負レンズ、負レンズと正レンズとを接合した接合レンズで構成されている。従って、数値実施例２の第２群Ｕ２は物体側から順に正レンズと負レンズ、像側から順に正レンズと負レンズで構成されている。
【０１１０】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例２では望遠端での瞳近軸光線の光軸からの高さが第２群Ｕ２内でより高くなる最も物体側の位置に部分分散比θｇＦが大きな材料を用いた正レンズを配置することで効果的に倍率色収差の二次スペクトルのズーム変動を補正している。更に、実施例２では望遠端での瞳近軸光線の光軸からの高さが第２群Ｕ２内でより低くなる最も像側の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１１１】
表１に実施例２の各条件式の対応値を示す。数値実施例２は条件式（１）〜（５）の何れの条件式も満足している。数値実施例２は条件式（３）の上限に近く、条件式（５）の下限に近いことを特徴とする。
【０１１２】
表３に実施例２における第２群の各面のｈＷ＿i、ＨＷ＿i、ｈＴ＿i、ＨＴ＿iと式（２２）及び式（２３）の対応値を示す。表３より、実施例２の第２群Ｕ２内のより物体側に位置する面ほど式（２２）の値が負に大きな値をとり、倍率色収差の二次スペクトルの望遠端と広角端の変動に対する分担値が大きいことがわかる。
【０１１３】
実施例２は１８．５倍の高倍率（ズーム比）を達成し、且つズーム全域において色収差及び諸収差を良好に補正し、全ズーム範囲において高い光学性能を得ている。
【実施例３】
【０１１４】
実施例３におけるレンズ構成について説明する。
【０１１５】
図５は本発明の実施例３（数値実施例３）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する正の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１１６】
数値実施例３の第２群Ｕ２は２枚の正のレンズと、４枚の負レンズから成っており、物体側より順に正レンズと負レンズとを接合した接合レンズ、２枚の負レンズ、負レンズと正レンズとを接合した接合レンズで構成されている。従って、数値実施例３の第２群Ｕ２は物体側から順に正レンズと負レンズ、像側から順に正レンズと負レンズで構成されている。
【０１１７】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例３では望遠端での瞳近軸光線の光軸からの高さが第２群Ｕ２内でより高くなる最も物体側の位置に部分分散比θｇＦが大きな材料を用いた正レンズを配置することで効果的に倍率色収差の二次スペクトルのズーム変動を補正している。更に、実施例３では望遠端での瞳近軸光線の光軸からの高さが第２群Ｕ２内でより低くなる最も像側の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１１８】
表１に実施例３の各条件式の対応値を示す。数値実施例３は条件式（１）〜（５）の何れの条件式も満足している。数値実施例３は条件式（２）の下限及び条件式（５）の上限に近いことを特徴とする。
【０１１９】
表４に実施例３における第２群の各面のｈＷ＿i、ＨＷ＿i、ｈＴ＿i、ＨＴ＿iと式（２２）及び式（２３）の対応値を示す。表４より、実施例３の第２群Ｕ２内のより物体側に位置する面ほど式（２２）の値が負に大きな値をとり、倍率色収差の二次スペクトルの望遠端と広角端の変動に対する分担値が大きいことがわかる。
【０１２０】
実施例３は１８．５倍の高倍率（ズーム比）を達成し、且つズーム全域において色収差及び諸収差を良好に補正し、全ズーム範囲において高い光学性能を得ている。
【実施例４】
【０１２１】
実施例４におけるレンズ構成について説明する。
【０１２２】
図７は本発明の実施例４（数値実施例４）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する負の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１２３】
数値実施例４の第２群Ｕ２は３枚の正のレンズと、３枚の負レンズから成っており、物体側より順に正レンズと負レンズとを接合した接合レンズ、負レンズと正レンズとを接合した接合レンズ、負レンズ、正レンズで構成されている。
【０１２４】
従って、数値実施例４の第２群Ｕ２は物体側から順に正レンズと負レンズ、像側から順に正レンズと負レンズで構成されている。
【０１２５】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例４では望遠端での瞳近軸光線の光軸からの高さが第２群Ｕ２内でより高くなる最も物体側の位置に部分分散比θｇＦが大きな材料を用いた正レンズを配置することで効果的に倍率色収差の二次スペクトルのズーム変動を補正している。更に、実施例４では望遠端での瞳近軸光線の光軸からの高さが第２群Ｕ２内でより低くなる最も像側の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１２６】
表１に実施例４の各条件式の対応値を示す。数値実施例４は条件式（１）〜（５）の何れの条件式も満足している。数値実施例４は条件式（１）及び条件式（５）の上限に近く、条件式（３）及び条件式（４）の下限に近いことを特徴とする。
【０１２７】
表５に実施例４における第２群の各面のｈＷ＿i、ＨＷ＿i、ｈＴ＿i、ＨＴ＿iと式（２２）及び式（２３）の対応値を示す。表５より、実施例４の第２群Ｕ２内のより物体側に位置する面ほど式（２２）の値が負に大きな値をとり、倍率色収差の二次スペクトルの望遠端と広角端の変動に対する分担値が大きいことがわかる。
【０１２８】
実施例４は２２．４倍の高倍率（ズーム比）を達成し、且つズーム全域において色収差及び諸収差を良好に補正し、全ズーム範囲において高い光学性能を得ている。
【実施例５】
【０１２９】
実施例５におけるレンズ構成について説明する。
【０１３０】
図9は本発明の実施例５（数値実施例５）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する負の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１３１】
数値実施例５の第２群Ｕ２は２枚の正のレンズと、３枚の負レンズから成っており、物体側より順に正レンズと負レンズとを接合した接合レンズ、２枚の負レンズ、正レンズで構成されている。従って、数値実施例５の第２群Ｕ２は物体側から順に正レンズと負レンズ、像側から順に正レンズと負レンズで構成されている。
【０１３２】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例５では望遠端での瞳近軸光線の光軸からの高さが第２群Ｕ２内でより高くなる最も物体側の位置に部分分散比θｇＦが大きな材料を用いた正レンズを配置することで効果的に倍率色収差の二次スペクトルのズーム変動を補正している。更に、実施例５では望遠端での瞳近軸光線の光軸からの高さが第２群Ｕ２内でより低くなる最も像側の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１３３】
表１に実施例５の各条件式の対応値を示す。数値実施例５は条件式（１）〜（５）の何れの条件式も満足している。数値実施例５は条件式（１）、条件式（３）及び条件式（４）の上限に近く、条件式（５）の下限に近いことを特徴とする。
【０１３４】
表６に実施例５における第２群の各面のｈＷ＿i、ＨＷ＿i、ｈＴ＿i、ＨＴ＿iと式（２２）及び式（２３）の対応値を示す。表６より、実施例５の第２群Ｕ２内のより物体側に位置する面ほど式（２２）の値が負に大きな値をとり、倍率色収差の二次スペクトルの望遠端と広角端の変動に対する分担値が大きいことがわかる。
【０１３５】
実施例５は２２．４倍の高倍率（ズーム比）を達成し、且つズーム全域において色収差及び諸収差を良好に補正し、全ズーム範囲において高い光学性能を得ている。
【実施例６】
【０１３６】
実施例６におけるレンズ構成について説明する。
【０１３７】
図１１は本発明の実施例６（数値実施例６）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する負の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１３８】
数値実施例６の第２群Ｕ２は３枚の正のレンズと、３枚の負レンズから成っており、物体側より順に負レンズと正レンズとを接合した接合レンズ、正レンズと負レンズとを接合した接合レンズ、正レンズ、負レンズで構成されている。
【０１３９】
従って、数値実施例６の第２群Ｕ２は物体側から順に負レンズと正レンズ、像側から順に負レンズと正レンズで構成されている。
【０１４０】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例６では望遠端での瞳近軸光線の光軸からの高さが第２群Ｕ２内でより高くなる物体側から２番目の位置に部分分散比θｇＦが大きな材料を用いた正レンズを配置することで効果的に倍率色収差の二次スペクトルのズーム変動を補正している。更に、実施例６及び実施例７では望遠端での瞳近軸光線の光軸からの高さが第２群Ｕ２内でより低くなる像側から２番目の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１４１】
表１に実施例６の各条件式の対応値を示す。数値実施例６は条件式（１）〜（５）の何れの条件式も満足している。数値実施例６は条件式（１）の上限に近いことを特徴とする。
【０１４２】
表７にそれぞれ実施例６における第２群の各面のｈＷ＿i、ＨＷ＿i、ｈＴ＿i、ＨＴ＿iと式（２２）及び式（２３）の対応値を示す。表７より、実施例６の第２群Ｕ２内のより物体側に位置する面ほど式（２２）の値が負に大きな値をとり、倍率色収差の二次スペクトルの望遠端と広角端の変動に対する分担値が大きいことがわかる。
【０１４３】
実施例６は２１．０倍の高倍率（ズーム比）を達成し、且つズーム全域において色収差及び諸収差を良好に補正し、全ズーム範囲において高い光学性能を得ている。
【実施例７】
【０１４４】
実施例７におけるレンズ構成について説明する。
【０１４５】
図１３は本発明の実施例７（数値実施例７）のズームレンズの広角端で無限遠物体に合焦しているときのレンズ断面図である。Ｕ１は変倍中固定の正の屈折力の第１群Ｕ１である。第１群Ｕ１は、フォーカスのための屈折力を有し、全体又は一部の屈折力のあるレンズ群を移動することにより、フォーカスを行っている。Ｕ２は広角端（短焦点距離端）から望遠端（長焦点距離端）へのズーミングに際して、像側へ移動する変倍用の負の屈折力の第２群（バリエーターレンズ群）である。Ｕ３は第２群Ｕ２の移動に連動して光軸上を非直線的に移動し、変倍に伴う像面変動を補正する負の屈折力の第３群（コンペンセーターレンズ群）である。ＳＰはズーミングに際して不動の開口絞りであり、第３群Ｕ３の像側に配置されている。Ｕ４はズーミングに際して不動の正の屈折力の第４群（リレーレンズ群）である。Ｐは色分解プリズムや光学フィルターであり、硝子ブロックとして示している。ＩＰは像面であり、固体撮像素子（光電変換素子）の撮像面に相当している。
【０１４６】
数値実施例７の第２群Ｕ２は３枚の正のレンズと、３枚の負レンズから成っており、物体側より順に負レンズ、正レンズ、正レンズと負レンズとを接合した接合レンズ、正レンズ、負レンズで構成されている。従って、数値実施例７の第２群Ｕ２は物体側から順に負レンズと正レンズ、像側から順に負レンズと正レンズで構成されている。
【０１４７】
式（１６）及び式（１７）より、部分分散（ｎｇ−ｎＦ）の大きな材料を用いたレンズ程、より効果的に倍率色収差の二次スペクトルと軸上色収差の二次スペクトルを補正することができる。実施例７では望遠端での瞳近軸光線の光軸からの高さが第２群Ｕ２内でより高くなる物体側から２番目の位置に部分分散比θｇＦが大きな材料を用いた正レンズを配置することで効果的に倍率色収差の二次スペクトルのズーム変動を補正している。更に、実施例７では望遠端での瞳近軸光線の光軸からの高さが第２群Ｕ２内でより低くなる像側から２番目の位置に適切な部分分散比θｇＦの材料を用いた正レンズを配置している。これにより、第２群Ｕ２内の物体側に位置するＬ２１、Ｌ２２で過剰補正になる軸上色収差の二次スペクトルのズーム変動を効果的に戻している。
【０１４８】
表１に実施例７の各条件式の対応値を示す。数値実施例７は条件式（１）〜（５）の何れの条件式も満足している。数値実施例７は条件式（１）、条件式（２）、条件式（３）及び条件式（４）の上限に近いことを特徴とする。
【０１４９】
表８に実施例７における第２群の各面のｈＷ＿i、ＨＷ＿i、ｈＴ＿i、ＨＴ＿iと式（２２）及び式（２３）の対応値を示す。表８より、実施例７の第２群Ｕ２内のより物体側に位置する面ほど式（２２）の値が負に大きな値をとり、倍率色収差の二次スペクトルの望遠端と広角端の変動に対する分担値が大きいことがわかる。
【０１５０】
実施例７は２１．０倍の高倍率（ズーム比）を達成し、且つズーム全域において色収差及び諸収差を良好に補正し、全ズーム範囲において高い光学性能を得ている。
【０１５１】
図１５を用いて、各実施例のズームレンズを撮影光学系として用いた撮像装置（テレビカメラシステム）の概要を説明する。図１５は本発明の撮像装置の要部概略図である。
【０１５２】
図１５において１０１は実施例１〜７のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【０１５３】
ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。
【０１５４】
ＳＰは開口絞りである。第４レンズ群Ｒは光路中より挿抜可能なレンズユニット（変倍光学系）ＩＥを有している。
【０１５５】
レンズユニットＩＥはズームレンズ１０１の全系の焦点距離範囲を変移している。
【０１５６】
１１４、１１５は、各々第１レンズ群Ｆ、変倍部ＬＺを光軸方向に駆動するヘリコイドやカム等の駆動機構である。
【０１５７】
１１６〜１１８は駆動機構１１４、１１５及び開口絞りＳＰを電動駆動するモータ（駆動手段）である。
【０１５８】
１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【０１５９】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【０１６０】
また、１１１、１２２はカメラ１２４及びズームレンズ本体１０１の各種の駆動を制御するＣＰＵである。
【０１６１】
このように本発明のズームレンズをテレビカメラに適用することにより、高い光学性能を有する撮像装置を実現している。
【０１６２】
以下の各数値実施例において、ｉは物体側からの面の順序を示し、ｒｉは物体側より第ｉ番目の面の曲率半径、ｄｉは物体側より第ｉ番目と第ｉ＋１番目の間隔、ＮｉとνｉとθgFiは第ｉ番目の光学部材の屈折率とアッベ数と部分分散比である。
【０１６３】
最後の３つの面は、フィルター等のガラスブロックである。
【０１６４】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。
【０１６５】
【数１】
2014016510.tif 000003
で表される。又、例えば「ｅ−Ｚ」は「×１０-Z」を意味する。＊印は非球面であることを示している。
＜数値実施例１＞
面データ
面番号      ri      di     ndi     vdi     θgFi    有効径   焦点距離
1     2129.395   6.00  1.80100   35.0    0.5863   207.79   -510.72
2      344.673   2.00                             200.03
3      346.356  24.55  1.43387   95.1    0.5373   199.51    567.18
4     -839.014  22.52                       198.00
5      389.319  17.75  1.43387   95.1    0.5373   194.25    764.00
6    -2237.919   0.25                             193.82
7      279.897  19.03  1.43387   95.1    0.5373   189.67    673.48
8     6158.046   0.25                             188.50
9      175.728  16.13  1.43875   94.9    0.5343   176.36    724.54
10      380.747  (可変)                            174.56 
11*     126.015   5.35  1.94087   17.4    0.6775    48.65     75.01
12     -161.926   2.00  2.00330   28.3    0.5980    47.25    -32.30
13       41.196   7.97                              38.42
14      -76.306   2.00  2.00330   28.3    0.5980    37.53    -55.59
15      216.656   7.76                              36.64
16      -44.119   2.00  1.77250   49.6    0.5521    36.09    -55.34
17     1655.192   5.95  1.95906   17.5    0.6597    37.83     70.07
18      -70.894   (可変)                            39.59
19       87.384  17.42  1.43875   94.9    0.5343    81.78    176.30
20*    -646.977   0.20                              82.00
21       90.218  18.85  1.43875   94.9    0.5343    82.12    152.29
22     -243.499   0.20                              80.45
23      630.609   2.50  1.80518   25.4    0.6161    77.58   -179.81
24      118.424  11.09  1.43875   94.9    0.5343    74.77    216.84
25     -476.044   0.20                              73.65
26*     199.975   5.00  1.62041   60.3    0.5426    71.82    312.72
27    -7429.951   (可変)                            70.81
28(絞り)   ∞     5.61                              36.63
29    -1845.052   1.40  1.81600   46.6    0.5568    33.60    -37.31
30       31.130   0.20                              31.93
31       27.954   6.43  1.84666   23.8    0.6205    32.41     42.50
32      108.263   7.45                              31.45
33      -55.071   1.40  1.88300   40.8    0.5667    29.32    -64.75
34    -1313.708   2.01                              29.37
35    -2773.834   1.80  1.62041   60.3    0.5426    29.39    237.26
36     -140.340   1.56  1.84666   23.8    0.6205    29.40   -136.44
37      694.948   3.03                              29.49
38        0.000  14.07  1.62041   60.3    0.5426    29.78   -203.17
39      126.547   8.31                              30.71
40      108.195   6.72  1.48749   70.2    0.5300    32.92     80.69
41      -60.869   0.20                              33.14
42     -138.367   1.60  1.88300   40.8    0.5667    32.87    -58.38
43       83.385   8.95  1.48749   70.2    0.5300    32.95     59.69
44      -43.348   0.20                              33.48
45      504.860   8.59  1.56732   42.8    0.5730    32.66     45.99
46      -27.505   1.60  1.88300   40.8    0.5667    32.16    -40.72
47     -118.009   0.20                              32.79
48       57.570   7.89  1.48749   70.2    0.5300    32.66     68.44
49      -76.402  14.00                              31.82
50         ∞    33.00  1.60859   46.4    0.5664    60.00       ∞
51         ∞    13.20  1.51633   64.2    0.5352    60.00       ∞
52         ∞                                       60.00
像面        ∞
非球面データ
第11面
K =-3.53915e+001  A 4= 2.02083e-006  A 6=-1.90171e-009  A 8= 1.28360e-012
第20面
K = 1.40124e+002  A 4= 1.86731e-007  A 6=-5.24712e-011  A 8= 2.18728e-014
第26面
K =-3.81210e+000  A 4=-5.85681e-007  A 6=-1.89094e-010  A 8= 1.42996e-014
各種データ
ズーム比    100.00
広角     中間      望遠
焦点距離       9.40   292.02    940.00
Fナンバー      1.85     1.85      4.90 
画角          30.33     1.08      0.34
像高           5.50     5.50      5.50
レンズ全長   650.07   650.07    650.07
BF            12.32    12.32     12.32
d10            3.16   169.16    181.22
d18          285.22    59.34      2.75
d27            3.00    62.88    107.41
入射瞳位置   133.41  2660.28  11352.01
射出瞳位置   402.51   402.51    402.51
前側主点位置 143.04  3170.85  14556.54
後側主点位置   2.92  -279.70   -927.68
ズームレンズ群データ
群  始面    焦点距離  レンズ構成長  前側主点位置  後側主点位置
1    1     248.24       108.48        58.97        -21.71
2   11     -26.00        33.03         8.13        -17.55
3   19      76.00        55.45        15.20        -25.66
4   28      57.72       149.40        67.72         11.44
＜数値実施例２＞
面データ
面番号      ri      di     ndi     vdi     θgFi     有効径   焦点距離
1      156.458   4.70  1.77250   49.6    0.5521    179.68   -275.37
2       89.149  49.83                              151.34 
3     -414.912   4.50  1.69680   55.5    0.5433    150.68   -213.01
4      233.681   0.15                              145.46 
5      148.462   8.90  1.75520   27.5    0.6103    146.00    699.35
6      200.492  10.74                              144.61 
7      557.158  19.82  1.43387   95.1    0.5373    144.25    375.71
8     -228.748   0.20                              143.50
9     1760.180   4.40            29.8    0.6017    135.13   -211.40
10      155.233  26.22  1.45600   90.3    0.5340    128.64    220.33
11     -271.723  47.93                              127.43
12     -415.809  13.23  1.43387   95.1    0.5373    123.47    573.83
13     -157.474   0.15                              125.11
14      330.817  21.54  1.49700   81.5    0.5374    127.32    254.07
15     -200.750   0.15                              127.05 
16      128.072  10.45  1.62041   60.3    0.5426    116.31    480.74
17      216.782  (可変)                             113.66
18      516.508   4.27  1.80810   22.8    0.6307     42.02     89.87
19      -85.208   1.50  1.88300   40.8    0.5667     41.49    -43.08
20       70.018   4.46                               38.90
21     -159.622   2.00  2.00330   28.3    0.5980     38.79   -137.28
22     1075.713   4.00                               38.86
23      -58.736   1.50  1.83400   37.2    0.5775     38.90   -105.11
24     -177.786   4.74                               40.21 
25      -40.700   1.50  1.88300   40.8    0.5667     40.45    -40.55
26      318.308   7.92  1.80810   22.8    0.6307     46.41     55.22
27      -51.935  (可変)                              47.50
28      126.526  10.16  1.60311   60.6    0.5414     60.45    101.37
29*    -115.593   0.20                               60.98 
30     -588.910   5.65  1.60311   60.6    0.5414     61.12    459.21
31     -189.553   0.20                               61.38 
32      125.055   2.00  1.84666   23.8    0.6205     60.79   -104.77
33       51.808  10.32  1.64000   60.1    0.5370     58.74     85.60
34      822.702   0.20                               58.49 
35      147.925   6.43  1.60311   60.6    0.5414     58.00    154.00
36     -248.130  (可変)                              57.49
37(絞り)   ∞     3.55                               31.31
38      -61.508   1.50  1.72916   54.7    0.5444     30.31    -30.24
39       34.959   4.80  1.84666   23.8    0.6205     29.60     72.50
40       75.092   6.48                               29.13 
41      -43.825   1.80  1.72916   54.7    0.5444     29.23    -36.37
42       69.097   8.81  1.72825   28.5    0.6077     31.16     39.00
43      -46.258  22.50                               32.45 
44      -51.049   1.80  1.75500   52.3    0.5476     32.62    -36.74
45       62.300  10.87  1.54814   45.8    0.5685     34.63     41.59
46      -34.000   0.20                               36.00
47      218.445   1.80  1.83400   37.2    0.5775     35.92    -56.08
48       38.577   7.80  1.49700   81.5    0.5374     35.48     59.47
49     -119.348   0.20                               35.78
50      419.274   8.48  1.49700   81.5    0.5374     35.88     55.96
51      -29.679   1.80  1.80518   25.4    0.6161     35.90    -64.02
52      -70.970   0.50                               37.29 
53       68.854   8.78  1.48749   70.2    0.5300     37.47     62.03
54      -51.969   5.00                               37.02 
55         ∞    33.00  1.60859   46.4    0.5664     60.00      ∞
56         ∞    13.20  1.51633   64.2    0.5352     60.00      ∞
57         ∞    17.14                               60.00 
像面        ∞
非球面データ
第29面
K =-1.97208e+001  A 4=-1.11143e-006  A 6= 1.03629e-009  A 8=-6.46050e-013
A10= 2.11872e-016 
各種データ
ズーム比     18.50
広角     中間     望遠
焦点距離       7.20    31.78   133.20 
Fナンバー      1.53     1.53     1.85
画角          37.38     9.82     2.36 
像高           5.50     5.50     5.50 
レンズ全長   608.18   608.18   608.18 
BF            17.14    17.14    17.14 
d17            8.44    78.44   108.69 
d27          147.62    61.66     3.17 
d36            2.15    18.11    46.35 
入射瞳位置   125.84   225.26   537.05 
射出瞳位置   116.40   116.40   116.40 
前側主点位置 133.57   267.22   848.99 
後側主点位置   9.94   -14.64  -116.06 
ズームレンズ群データ
群  始面    焦点距離  レンズ構成長  前側主点位置  後側主点位置
1    1     103.68       222.91       145.55         64.77
2   18     -29.50        31.89         6.33        -18.42
3   28      52.50        35.16         9.90        -13.04
4   37      33.83       142.87        50.39         13.44
＜数値実施例3＞
面データ
面番号      ri      di     ndi     vdi     θgFi     有効径   焦点距離
1      161.556   4.70  1.77250   49.6    0.5521    178.75   -275.84
2       90.908  47.48                              151.26 
3     -435.183   4.50  1.69680   55.5    0.5433    150.95   -227.21
4      251.605   0.15                              145.47 
5      159.673   7.65  1.75520   27.5    0.6103    145.46    790.01
6      212.846  14.00                              144.28 
7     1058.468  18.14  1.43387   95.1    0.5373    143.45    397.50
8     -205.579   0.20                              142.89 
9     1311.654   4.40  1.80000   29.8    0.6017    133.11   -220.32
10      156.223  24.55  1.45600   90.3    0.5340    126.61    221.28
11     -272.943  48.06                              125.48 
12     -385.682  12.89  1.43387   95.1    0.5373    122.02    581.92
13     -154.368   0.15                              123.62
14      323.127  21.54  1.49700   81.5    0.5374    125.64    248.29
15     -196.135   0.150                             125.32 
16      120.204  10.44  1.62041   60.3    0.5426    113.99    513.52
17      186.156  (可変)                             110.90
18       54.548   1.84  1.94087   17.4    0.6775     42.51    367.00
19       63.557   1.50  2.00330   28.3    0.5980     41.70   -194.86
20       47.491   5.95                               39.86
21     -184.795   2.00  2.00330   28.3    0.5980     39.54    -73.54
22      125.222   5.37                               38.68
23      -56.964   1.50  1.77250   49.6    0.5521     38.64    -61.49
24      297.771   4.42                               40.17
25      -64.577   1.50  1.75505   52.3    0.5476     40.48    -42.60
26       65.293  10.61  1.80810   22.8    0.6307     46.20     49.74
27      -99.594  (可変)                              48.20
28      126.526  10.16  1.60311   60.6    0.5414     60.59    101.37
29*    -115.593   0.20                               61.12
30     -588.910   5.65  1.60311   60.6    0.5414     61.25    459.21
31     -189.553   0.20                               61.52 
32      125.055   2.00  1.84666   23.8    0.6205     60.92   -104.77
33       51.808  10.32  1.64000   60.1    0.5370     58.85     85.60
34      822.702   0.20                               58.61
35      147.925   6.43  1.60311   60.6    0.5414     58.12    154.00
36     -248.130  (可変)                              57.61
37(絞り)   ∞     3.55                               31.36
38      -61.508   1.50  1.72916   54.7    0.5444     30.36    -30.24
39       34.959   4.80  1.84666   23.8    0.6205     29.64     72.50
40       75.092   6.48                               29.17
41      -43.825   1.80  1.72916   54.7    0.5444     29.27    -36.37
42       69.097   8.81  1.72825   28.5    0.6077     31.21     39.00
43      -46.258  22.50                               32.50
44      -51.049   1.80  1.75500   52.3    0.5476     32.66    -36.74
45       62.300  10.87  1.54814   45.80   0.5685     34.68     41.59
46      -34.000   0.20                               36.04
47      218.445   1.80  1.83400   37.2    0.5775     35.96    -56.08
48       38.577   7.80  1.49700   81.5    0.5374     35.52     59.47
49     -119.348   0.20                               35.81
50      419.274   8.48  1.49700   81.5    0.5374     35.92     55.96
51      -29.679   1.80  1.80518   25.4    0.6161     35.94    -64.02
52      -70.970   0.50                               37.33
53       68.854   8.78  1.48749   70.2    0.5300     37.51     62.03
54      -51.969   5.00                               37.06 
55         ∞    33.00  1.60859   46.4    0.5664     60.00       ∞
56         ∞    13.20  1.51633   64.2    0.5352     60.00       ∞
57         ∞                                        60.00 
像面        ∞
非球面データ
第29面
K =-1.97208e+001  A 4=-1.11143e-006  A 6= 1.03629e-009  A 8=-6.46050e-013
A10= 2.11872e-016 
各種データ
ズーム比     18.50
広角     中間     望遠
焦点距離       7.20    31.78   133.20 
Fナンバー      1.53     1.53     1.85
画角          37.38     9.82     2.36 
像高           5.50     5.50     5.50 
レンズ全長   601.48   601.48   601.48 
BF            17.14    17.14    17.14 
d17            0.98    70.98   101.23 
d27          149.49    63.53     5.04 
d36            2.15    18.11    46.35 
入射瞳位置   123.86   223.27   535.06 
射出瞳位置   116.40   116.40   116.40 
前側主点位置 131.58   265.23   847.00 
後側主点位置   9.94   -14.64  -116.06 
ズームレンズ群データ
群  始面    焦点距離  レンズ構成長  前側主点位置  後側主点位置
1    1     103.68       219.00       143.57         61.79
2   18     -29.50        34.69        10.81        -16.55
3   28      52.50        35.16         9.90        -13.04
4   37      33.83       142.87        50.39         13.44
＜数値実施例4＞
面データ
面番号      ri      di     ndi     vdi     θgFi     有効径   焦点距離
1      461.006   5.10  1.69680   55.5    0.5433    179.08   -192.83
2      103.908  47.68                              149.86 
3     -228.481   4.50  1.69680   55.5    0.5433    148.30   -282.48
4     1477.902   0.50                              148.84
5      259.668  10.62  1.80518   25.4    0.6161    150.00    432.64
6      975.041   2.00                              149.51 
7      566.121  18.33  1.49700   81.5    0.5374    148.53    359.31
8     -259.160   0.21                              147.86 
9      242.174   5.70  1.63980   34.5    0.5923    134.90   -602.66
10      147.766   6.75  1.49700   81.5    0.5374    131.12   1207.15
11      192.890  47.58                              130.38
12      206.836  21.20  1.49700   81.5    0.5374    133.49    255.79
13     -321.061   0.20                              133.50
14      203.099   5.70  1.72047   34.7    0.5834    129.76   -231.75
15       90.893  26.24  1.49700   81.5    0.5374    122.26    185.56
16     4745.721   0.20                              121.63
17      135.646  11.37  1.62041   60.3    0.5426    117.63    326.38
18      394.533  (可変)                             116.39
19      111.025   1.73  1.78000   25.0    0.6329     43.51    549.72
20      148.312   2.00  2.00330   28.3    0.5980     42.40    -37.17
21       29.796   6.35                               36.31
22      519.202   2.50  1.75500   52.3    0.5476     36.11    -38.74
23       27.752   6.25  1.80810   22.8    0.6307     34.13     39.60
24      176.269   3.10                               33.79
25     -111.453   1.50  1.65412   39.7    0.5737     33.42    -42.85
26       37.946   3.69                               32.82 
27       44.554   4.41  1.80000   29.8    0.6017     34.65     60.32
28      507.271  (可変)                              34.52
29      -53.083   1.50  1.80610   40.9    0.5701     30.44    -33.61
30       56.693   4.88  1.84666   23.8    0.6205     32.60     61.28
31     -664.166  (可変)                              33.34
32(絞り)   ∞     2.0                                37.20
33     7650.111   6.43  1.62041   60.3    0.5426     38.57     97.18
34      -60.992   0.20                               39.64
35      110.166   9.32  1.48749   70.2    0.5300     40.38     67.32
36      -45.663   2.00  1.88300   40.8    0.5667     40.30    -91.87
37     -105.836  65.00                               41.15
38      620.109   2.50  1.83400   37.2    0.5775     40.59   -160.82
39      110.646  17.54  1.50137   56.4    0.5533     40.45     73.24
40      -52.375   2.38                               40.92 
41       67.762   9.55  1.49700   81.5    0.5374     38.22     56.46
42      -45.871   2.50  1.88300   40.8    0.5667     37.28    -38.56
43      138.537   2.73                               36.78
44       53.155   7.14  1.62041   60.3    0.5426     37.35     67.34
45     -188.671  14.40                               36.73 
46         ∞    33.00  1.60859   46.4    0.5664     38.00      ∞
47         ∞    13.20  1.51633   64.2    0.5352     38.00      ∞
48         ∞                                        38.00 
像面        ∞
各種データ
ズーム比     22.40
広角     中間     望遠
焦点距離       7.25    33.73   162.49 
Fナンバー      1.66     1.66     2.02
画角          37.17     9.26     1.94 
像高           5.50     5.50     5.50 
レンズ全長   595.73   595.73   595.73 
BF             9.00     9.00     9.00 
d18            1.00    92.52   129.74 
d28          137.26    35.96    13.44 
d31            6.80    16.58     1.88 
入射瞳位置   117.87   293.30   785.06 
射出瞳位置   141.00   141.00   141.00 
前側主点位置 125.52   335.65  1147.56 
後側主点位置   1.75   -24.73  -153.49 
ズームレンズ群データ
群  始面    焦点距離  レンズ構成長  前側主点位置  後側主点位置
1    1     119.52       213.87       134.06         49.85
2   19     -31.20        31.52         3.85        -20.13
3   29     -76.16         6.38        -0.39         -3.87
4   32     105.26       189.89       153.57       -193.64
＜数値実施例5＞
面データ
面番号      ri      di     ndi     vdi     θgFi     有効径   焦点距離
1      461.006   5.10  1.69680   55.5    0.5433    178.36   -192.83
2      103.908  47.68                              149.34
3     -228.481   4.50  1.69680   55.5     0.5433   147.58   -282.48
4     1477.902   0.50                              148.03
5      259.668  10.62  1.80518   25.4    0.6161    149.09    432.64
6      975.041   2.00                              148.57
7      566.121  18.33  1.49700   81.5    0.5374    147.62    359.31
8     -259.160   0.21                              146.93 
9      242.175   5.70  1.63980   34.5    0.5923    134.59   -602.66
10      147.766   6.75  1.49700   81.5    0.5374    130.82   1207.15
11      192.890  47.58                              130.08
12      206.836  21.20  1.49700   81.5    0.5374    133.49    255.79
13     -321.061   0.20                              133.50 
14      203.099   5.70  1.72047   34.7    0.5834    129.76   -231.75
15       90.893  26.24  1.49700   81.5    0.5374    122.26    185.56
16     4745.721   0.20                              121.63
17      135.646  11.37  1.62041   60.3    0.5426    117.63    326.38
18      394.533  (可変)                             116.39
19      104.781   3.86  1.80810   22.8    0.6307     43.16    107.69
20     -537.515   2.00  1.77250   49.6    0.5521     41.95    -35.01
21       28.668   7.53                               33.74
22      -91.909   2.50  1.84666   23.8    0.6205     33.35    -37.14
23       49.136   5.03                               32.01 
24      172.938   1.50  1.84666   23.8    0.6205     32.69   -118.55
25       63.652   2.92                               32.78 
26       60.048   4.03  1.95906   17.5    0.6597     34.60     55.59
27     -521.093  (可変)                              34.55
28      -53.083   1.50  1.80610   40.9    0.5701     30.46    -33.61
29       56.693   4.88  1.84666   23.8    0.6205     32.61     61.28
30     -664.166  (可変)                              33.36
31(絞り)   ∞     2.00                               37.20
32      815.079   6.43  1.62041   60.3    0.5426     38.70    103.41
33      -69.726   0.20                               39.79 
34      117.673   9.32  1.48749   70.2    0.5300     40.59     65.56
35      -42.931   2.00  1.88230   40.8    0.5667     40.58    -96.85
36      -87.583  65.00                               41.58 
37      496.780   2.50  1.83400   37.2    0.5775     40.22   -117.09
38       81.855  17.54  1.50137   56.4    0.5533     40.01     64.43
39      -49.876   2.38                               40.59
40       90.472   9.55  1.49700   81.5    0.5374     38.33     60.19
41      -43.313   2.50  1.88300   40.8    0.5667     37.42    -42.38
42      294.980   2.73                               37.30
43       50.971   7.14  1.62041   60.3    0.5426     37.77     71.06
44     -317.960  14.40                               37.02 
45         ∞    33.00  1.60859   46.4    0.5664     38.00       ∞
46         ∞    13.20  1.51633   64.2    0.5352     38.00       ∞
47         ∞                                        38.00 
像面        ∞
各種データ
ズーム比     22.40
広角     中間     望遠
焦点距離       7.25    33.73   162.49 
Fナンバー      1.66     1.66     2.02
画角          37.17     9.26     1.94 
像高           5.50     5.50     5.50 
レンズ全長   592.02   592.02   592.02 
BF             9.00     9.00     9.00 
d18            0.66    92.19   129.41 
d27          136.04    34.74    12.22 
d30            6.80    16.58     1.88 
入射瞳位置   117.87   293.30   785.06 
射出瞳位置   137.83   137.83   137.83 
前側主点位置 125.53   335.86  1152.48 
後側主点位置   1.75   -24.73  -153.49 
ズームレンズ群データ
群  始面    焦点距離  レンズ構成長  前側主点位置  後側主点位置
1    1     119.52       213.87       134.06         49.85
2   19     -31.20        29.37         4.18        -21.35
3   28     -76.16         6.38        -0.39         -3.87
4   31     107.21       189.89       157.62       -197.39
＜数値実施例6＞
面データ
面番号      ri      di     ndi     vdi     θgFi     有効径   焦点距離
1     -213.433   1.80  1.72916   54.7    0.5444     80.33   -145.46
2      213.433   5.58                               78.44
3      556.690   1.80  1.80518   25.4    0.6161     78.51   -152.69
4      101.320  14.94  1.43875   94.9    0.5343     78.09    144.44
5     -162.669   0.15                               78.45 
6      175.439   8.28  1.61800   63.3    0.5441     78.50    188.64
7     -345.082   6.77                               78.23 
8      106.566  10.62  1.49700   81.5    0.5374     74.04    159.37
9     -301.725   0.15                               73.11 
10       66.906   6.52  1.72916   54.7    0.5444     65.52    152.88
11      159.414  (可変)                              64.62
12*    2943.102   0.70  1.88300   40.8    0.5667     26.70    -15.01
13       13.271   1.91  1.78000   25.0    0.6329     20.84    125.15
14       14.364   5.90                               19.92
15      -36.246   5.06  1.80810   22.8    0.6307     19.67     21.88
16      -12.719   0.70  1.81600   46.6    0.5568     19.69    -14.24
17      146.586   0.10                               19.75
18       35.743   4.07  1.53172   48.8    0.5630     19.91     33.13
19      -33.683   1.53                               19.77 
20      -19.593   1.00  1.81600   46.6    0.5568     19.55    -72.41
21      -29.913  (可変)                              20.01
22      -28.262   0.70  1.74320   49.3    0.5530     21.41    -23.35
23       46.007   2.80  1.84666   23.8    0.6205     23.55     52.04
24    -1313.700  (可変)                              24.07
25(絞り)   ∞   1.30                                 28.08
26     1095.091   4.36  1.65844   50.9    0.5561     29.22     51.47
27      -35.085   0.150                              29.66 
28       80.854   2.44  1.51633   64.1    0.5352     30.43    155.54
29   -26300.000   0.15                               30.41 
30       92.852   6.78  1.51633   64.1    0.5352     30.35     47.29
31      -32.467   1.80  1.83400   37.2    0.5775     30.09    -46.20
32     -204.659  35.20                               30.42
33       61.362   6.26  1.51633   64.1    0.5352     30.67     55.70
34      -52.603   1.73                               30.56
35      -98.726   1.80  1.83481   42.7    0.5642     29.35    -28.68
36       32.111   5.75  1.51742   52.4    0.5564     28.83     46.44
37      -91.243   4.40                               28.96
38       62.274   6.77  1.48749   70.2    0.5300     28.99     42.24
39      -29.818   1.80  1.83400   37.2    0.5775     28.78    -38.88
40     -355.420   0.15                               29.24
41       53.543   4.40  1.51823   58.9    0.5456     29.47     60.39
42      -73.907   4.50                               29.36 
43         ∞    30.00  1.60342   38.0    0.5795     40.00      ∞
44         ∞    16.20  1.51633   64.2    0.5352     40.00      ∞
45         ∞                                        40.00 
像面        ∞
非球面データ
第12面
K = 4.48655e+004  A 4= 1.69272e-005  A 6=-2.98717e-008  A 8= 2.16146e-012
各種データ
ズーム比     21.00
広角     中間     望遠
焦点距離       7.80    31.67   163.80 
Fナンバー      1.80     1.80     2.70
画角          35.19     9.85     1.92 
像高           5.50     5.50     5.50 
レンズ全長   283.96   283.96   283.96 
BF             7.50     7.50     7.50 
d11            1.19    37.26    53.94 
d21           53.40    11.72     3.76 
d24            4.85    10.45     1.73 
入射瞳位置    50.20   175.86   608.47 
射出瞳位置   318.46   318.46   318.46 
前側主点位置  58.19   210.75   858.55 
後側主点位置  -0.30   -24.17  -156.30 
ズームレンズ群データ
群  始面    焦点距離  レンズ構成長  前側主点位置  後側主点位置
1    1      68.20        56.61        36.62          2.85
2   12     -13.40        20.98         1.66        -13.90
3   22     -42.80         3.50        -0.09         -2.01
4   25      62.21       135.94        71.95       -140.83
＜数値実施例7＞
面データ
面番号      ri      di     ndi     vdi     θgFi     有効径   焦点距離
1     -213.433   1.80  1.72916   54.7    0.5444     81.44   -145.46
2      213.433   5.58                               79.02
3      556.690   1.80  1.80518   25.4    0.6161     79.11   -152.69
4      101.320  14.94  1.43875   94.9    0.5343     78.69    144.44
5     -162.669   0.15                               79.03 
6      175.439   8.28  1.61800   63.3    0.5441     79.12    188.64
7     -345.082   6.77                               78.86 
8      106.566  10.62  1.49700   81.5    0.5374     74.62    159.37
9     -301.725   0.15                               73.75 
10       66.906   6.52  1.72916   54.7    0.5444     65.52    152.88
11      159.414  (可変)                              64.62
12*    9697.479   0.70  1.88300   40.8    0.5667     27.07    -16.49
13       14.619   3.09                               21.46
14       31.412   2.01  1.94087   17.4    0.6775     21.33     91.69
15       47.502   4.65                               20.57
16      -23.381   4.23  1.80810   22.8    0.6307     19.52     26.95
17      -12.258   0.70  1.81600   46.6    0.5568     19.60    -15.59
18     -304.287   0.10                               19.93
19       76.925   3.14  1.53172   48.8    0.5630     19.99     47.74
20      -37.618   1.36                               19.92
21      -21.944   1.00  1.83481   42.7    0.5642     19.79   -102.88
22      -30.031  (可変)                              20.20
23      -28.262   0.70  1.74320   49.3    0.5530     21.42    -23.35
24       46.007   2.80  1.84666   23.8    0.6205     23.56     52.04
25    -1313.700  (可変)                              24.07
26(絞り)  ∞      1.30                               28.08
27     1095.091   4.36  1.65844   50.9    0.5561     29.23     51.47
28      -35.085   0.15                               29.67
29       80.854   2.44  1.51633   64.1    0.5352     30.44    155.54
30   -26300.000   0.15                               30.41 
31       92.852   6.78  1.51633   64.1    0.5352     30.35     47.29
32      -32.467   1.80  1.83400   37.2    0.5775     30.09    -46.20
33     -204.659  35.20                               30.43 
34       61.362   6.26  1.51633   64.1    0.5352     31.06     55.70
35      -52.603   1.73                               30.95 
36      -98.726   1.80  1.83481   42.7    0.5642     29.70    -28.68
37       32.111   5.75  1.51742   52.4    0.5564     29.15     46.44
38      -91.243   4.40                               29.27
39       62.274   6.77  1.48749   70.2    0.5300     29.28     42.24
40      -29.818   1.80  1.83400   37.2    0.5775     29.09    -38.88
41     -355.420   0.15                               29.55 
42       53.543   4.40  1.51823   58.9    0.5456     29.79     60.39
43      -73.907   4.50                               29.68 
44         ∞    30.00  1.60342   38.0    0.5795     40.00      ∞
45         ∞    16.20  1.51633   64.2    0.5352     40.00      ∞
46         ∞                                        40.00 
像面        ∞
非球面データ
第12面
K =-1.59398e+013  A 4= 2.54961e-005  A 6=-5.95841e-008  A 8= 7.14396e-011
各種データ
ズーム比     21.00
広角     中間     望遠
焦点距離       7.80    31.67   163.80 
Fナンバー      1.80     1.80     2.70
画角          35.19     9.85     1.92 
像高           5.50     5.50     5.50 
レンズ全長   283.81   283.81   283.81 
BF             7.50     7.50     7.50 
d11            1.06    37.13    53.81 
d22           53.39    11.71     3.75 
d25            4.85    10.45     1.73 
入射瞳位置    50.20   175.86   608.47 
射出瞳位置   318.46   318.46   318.46 
前側主点位置  58.19   210.75   858.55 
後側主点位置  -0.30   -24.17  -156.30 
ズームレンズ群データ
群  始面    焦点距離  レンズ構成長  前側主点位置  後側主点位置
1    1      68.20        56.61        36.62          2.85
2   12     -13.40        20.97         1.79        -13.91
3   23     -42.80         3.50        -0.09         -2.01
4   26      62.21       135.94        71.95       -140.83
【０１６６】
【表１】
2014016510.tif 000004
【０１６７】
【表２】
2014016510.tif 000005
【０１６８】
【表３】
2014016510.tif 000006
【０１６９】
【表４】
2014016510.tif 000007
【０１７０】
【表５】
2014016510.tif 000008
【０１７１】
【表６】
2014016510.tif 000009
【０１７２】
【表７】
2014016510.tif 000010
【０１７３】
【表８】
2014016510.tif 000011
【符号の説明】
【０１７４】
Ｕ１    ：  正の屈折力の第１群
Ｕ２    ：  負の屈折力の第２群
Ｕ３    ：  第３群
Ｕ４    ：  正の屈折力の第４群
ＳＰ    ：  開口絞り
Ｐ      ：  色分解プリズムや光学フィルターを示すガラスブロック
ＩＰ    ：  撮像面
ＩＥ、ＥＸＴ    ：  変倍光学系（レンズユニット）
１０１    ：  ズームレンズ
１０９    ：  ガラスブロック
１１０    ：  固体撮像素子
１１１、１２２    ：  ＣＰＵ
１２４    ：  カメラ
１２５    ：  撮像装置
Ｆ    ：  第１群
ＬＺ    ：  変倍部
Ｒ    ：  第４群
【図１】
2014016510.tif 000012
【図２】
2014016510.tif 000013
【図３】
2014016510.tif 000014
【図４】
2014016510.tif 000015
【図５】
2014016510.tif 000016
【図６】
2014016510.tif 000017
【図７】
2014016510.tif 000018
【図８】
2014016510.tif 000019
【図９】
2014016510.tif 000020
【図１０】
2014016510.tif 000021
【図１１】
2014016510.tif 000022
【図１２】
2014016510.tif 000023
【図１３】
2014016510.tif 000024
【図１４】
2014016510.tif 000025
【図１５】
2014016510.tif 000026
【図１６】
2014016510.tif 000027
【図１７】
2014016510.tif 000028
【図１８】
2014016510.tif 000029
【図１９】
2014016510.tif 000030
【図２０】
2014016510.tif 000031
【図２１】
2014016510.tif 000032
【図２２】
2014016510.tif 000033